(57)【特許請求の範囲】
【請求項１】
オーディオフォロービデオミキサ用のミキサ入力モジュールであって、
マルチチャンネル入力装置から少なくとも１つの音声チャンネルを供給する入力結合手段と、
上記マルチチャンネル入力装置を上記ミキサ入力モジュールに割当てる構成選択手段であって、該割当てられたマルチチャンネル入力装置からの信号を上記ミキサに結合するための制御信号を与える論理回路手段を含む上記構成選択手段と、
上記割当てられたマルチチャンネル入力装置によって供給される音声チャンネルを選択して上記ミキサにおけるＮ音声信号経路のうちの少なくとも１つに供給するチャンネル選択手段とを具え
上記構成選択手段は、上記ミキサ入力モジュールに結合された上記割当てられたマルチチャンネル入力装置を可視表示する構成表示手段を含む
オーディオフォロービデオミキサ用ミキサ入力モジュール。
【請求項２】
上記マルチチャンネル入力装置がＶＴＲである請求項１のミキサ入力モジュール。
【請求項３】
上記構成表示手段は、デュアル７セグメントＬＥＤ表示器を含む請求項１のミキサ入力モジュール。
【請求項４】
上記チャンネル選択手段は、選択された音声チャンネルを可視表示するチャンネル表示手段を含む請求項１のミキサ入力モジュール。
【請求項５】
上記チャンネル表示手段は、各々が４つの選択可能な音声チャンネルの１つに対応する４つのＬＥＤを含む請求項４のミキサ入力モジュール。
【請求項６】
上記選択された音声チャンネルが割当てられた上記オーディオフォロービデオミキサに含まれるプレビュー・バスを選択するプレビュー・バス選択手段を更に有する請求項１のミキサ入力モジュール。
【請求項７】
上記プレビュー・バス選択手段は、選択された音声チャンネルが割当てられたプレビュー・バスを可視表示するプレビュー・バス指示手段を含む請求項６のミキサ入力モジュール。
【請求項８】
上記プレビュー・バス表示手段は、各々が上記ミキサのプレビュー・バスに対応する４つのＬＥＤ指示器を含む請求項７のミキサ入力モジュール。
【請求項９】
構成変更可能オーディオフォロービデオミキサシステムであって、
１又は複数の入力音声チャンネルをそれぞれ供給する複数の音声入力装置と、
上記複数の音声入力装置に結合するように操作するものであって、内部のＮ音声信号経路をそれに割当てられた入力音声チャンネルを処理する内部回路と結合するように内部Ｎ音声信号経路を有するミキサ制御卓と、
上記ミキサに結合するものであって、上記内部Ｎ音声信号経路に割当てられた入力音声チャンネルへの上記内部回路の制御処理のための制御信号を上記ミキサ制御卓に供給する編集装置と、
上記ミキサ制御卓に含まれるものであって、それぞれが上記複数の音声入力装置のうちの１つから１又は複数の上記入力音声チャンネルを受信し、その上に構成選択部が合体された表示部をそれぞれ有し、上記構成選択部は結合が一致する音声入力装置の項目を表示する構成信号を生成するために操作可能であるＭ入力モジュールとを具え、
それぞれの入力モジュールからの上記構成信号は上記編集装置に供給されるものであって、それによって上記編集装置が上記内部Ｎ音声信号経路に割当てられた上記入力音声チャンネルの処理を可能とする
構成変更可能オーディオフォロービデオミキサシステム。
【請求項１０】
上記音声入力装置は１又は複数のマルチチャンネル入力装置を含む請求項９の構成変更可能オーディオフォロービデオミキサシステム。
【請求項１１】
上記ミキサ制御卓は４つの内部音声信号経路を含む請求項９の構成変更可能オーディオフォロービデオミキサシステム。
【請求項１２】
上記ミキサ制御卓はさらに複数の内部プレビュー・バスを含み、それぞれの入力モジュールは上記表示部上のプレビュー・バス選択部を含み、上記プレビュー・バス選択部はプレビュー選択信号を生成するために操作可能であり、このプレビュー選択信号は、複数の内部プレビュー・バスのうちのいずれの１つが、一致する音声入力装置から供給される割当てられた入力音声チャンネルを受信するか、を決めるものである請求項９の構成変更可能オーディオフォロービデオミキサシステム。
【請求項１３】
それぞれのプレビュー・バス選択部がプレビュー表示手段と操作により結合され、このプレビュー表示手段は上記プレビュー・バスのうちの割当てられた入力音声チャンネルを受信するものを可視表示する請求項１２の構成変更可能オーディオフォロービデオミキサシステム。
【請求項１４】
上記構成選択部が構成表示手段と操作により結合され、この構成表示手段は上記複数の音声入力装置のうちの１つと一致する番号を可視表示する請求項９の構成変更可能オーディオフォロービデオミキサシステム。
【請求項１５】
少なくとも上記複数の音声入力装置のうちの１つがＶＴＲである請求項９の構成変更可能オーディオフォロービデオミキサシステム。
【発明の詳細な説明】
【０００１】
【産業上の利用分野】
本発明は、オーディオフォロービデオミキサ(audio follow video mixer)と結合される、ビデオテープレコーダ（ＶＴＲ）のようなマルチチャンネル（入力）装置の構成（配置）の制御に関するものである。もっと具体的にいえば、本発明は、オーディオフォロー（ビデオ）ミキサの入力モジュール（交換可能な構成部品）とマルチチャンネル装置の種々の構成を結合させる方式（方法及び装置）の改良に関する。
【０００２】
【従来の技術】
オーディオ（音声）編集を達成するために、オーディオフォローミキサを用いてＶＴＲのようなマルチチャンネル装置の複数個を制御することは、公知である。プレビュー／レビュー及びフェードアップ／ダウンのような種々のＶＴＲ機能を行わせるのに、編集器インタフェースを介して上記ミキサを制御する編集器を使用するのがよいことも、知られている。
【０００３】
一般にミキサ装置では、１つのミキサがＶＴＲその他のマルチチャンネル装置のような複数の装置に接続されている。該ミキサはまた、編集器インタフェースを介して編集器に接続され、該ミキサを編集器が制御できるようになっている。こうすると、ミキサに入って来る種々の信号の処理を制御するのに編集器を使うことができる。
【０００４】
しかし、従来のミキサ装置は、もっぱら同数のチャンネルを用いる装置からの信号を編集するように設計されている点で、構成の選択に限界がある。例えば、或る編集器は、全部が２チャンネルしか有しない装置からミキサへの入力を制御する点において限界がある。この限界を破るためには、装置の結合を拡張するためにジャンパー電線を用いることができる。しかし、この解決法は、特に数個の装置を使用する場合、手間がかかり面倒である。例えば、２チャンネル装置を４チャンネル装置に替えるなど、異なる装置を入れる度に、ジャンパー電線の再配線が必要となる。
【０００５】
かようなミキサ装置の改良された構成方法を取入れる案が米国特許第５，１７５，７７１号に記載されているが、これは、所望するマルチチャンネル装置の構成を選ぶために構成セレクタを用いるものである。これは、ビデオ編集器と協同して構成の選択を可能にしている。
【０００６】
米国特許第５，１７５，７７１号の改善案は、マルチチャンネル装置を色々組合せて使用することを可能にしているが、各マルチチャンネル装置を特定の連続するミキサチャンネルに割当てねばならない点において、多用性に欠ける。例えば、４チャンネルＶＴＲをミキサチャンネル１，２，５及び６に結合し、チャンネル３及び４は他の用途に残しておきたいことが間々あるが、その場合、４チャンネルＶＴＲはミキサチャンネル１，２，３及び４に割当てられることになる。
【０００７】
従来のミキサ装置のこの制約は、モジュール式のミキサを用いるときに一層著しくなる。かようなミキサでは、ミキサ装置の用途を増すために種々のタイプのモジュールを容易に取り換えうるようになっている。例えば、ミキサの１０個のベイ（区画）を全モノラル・モジュールを受入れるのに用いてもよく、或いは、選択したモノラル・モジュールをステレオ・モジュール又はデュアル（副音声）モジュールで置き換えることもできる。しかし、このモジュール式のミキサを用いた場合には、結合されたマルチチャンネル装置がミキサ装置によって行われるすべての機能にアクセスするのを難しくしている。例えば、モジュール方式によって与えられる構成の選択の融通性を保ちながら、ミキサ装置に結合されたＶＴＲをミキサの機能である電圧制御減衰器（ＶＣＡ）及びプレビュー・ラインにアクセスさせるのが難しくなる。
【０００８】
【発明が解決しようとする課題】
したがって、上述したようにミキサ装置に結合されるマルチチャンネル装置の色々なチャンネル構成を選択しうるもっと柔軟性のあるミキサ装置が要求されている。もっと詳しくいえば、ビデオ編集器による制御を用いることによってモジュール式ミキサに与えられる多性能をもっとよく利用することができるミキサ装置が要望されている。また、ミキサ装置に用いられるマルチチャンネル装置の種々の組合せをした場合であっても、ミキサ装置によって与えられる信号処理機能の全範囲に確実にアクセスできることが必要とされている。更に、一定の又は予めプログラムされた構成案を用いないで、種々のミキサ入力モジュールの各々に対応するＶＴＲを選択する簡単な方法を得ることが要望されている。
【０００９】
本発明の一般的な課題は、上述した従来技術の欠点を解消し、上述の要求に答えることである。
【００１０】
【課題を解決するための手段】
本発明によるオーディオフォロービデオミキサ用ミキサ入力モジュールは、オーディオフォロービデオミキサ用のミキサ入力モジュールであって、マルチチャンネル入力装置から少なくとも１つの音声チャンネルを供給する入力結合手段と、マルチチャンネル入力装置をミキサ入力モジュールに割当てる構成選択手段であって、割当てられたマルチチャンネル入力装置からの信号をミキサに結合するための制御信号を与える論理回路手段を含む構成選択手段と、割当てられたマルチチャンネル入力装置によって供給される音声チャンネルを選択してミキサにおけるＮ音声信号経路のうちの少なくとも１つに供給するチャンネル選択手段とを具え、構成選択手段は、ミキサ入力モジュールに結合された割当てられたマルチチャンネル入力装置を可視表示する構成表示手段を含むものである。
また、本発明による構成変更可能オーディオフォロービデオミキサシステムは、構成変更可能オーディオフォロービデオミキサシステムであって、１又は複数の入力音声チャンネルをそれぞれ供給する複数の音声入力装置と、複数の音声入力装置に結合するように操作するものであって、内部のＮ音声信号経路をそれに割当てられた入力音声チャンネルを処理する内部回路と結合するように内部Ｎ音声信号経路を有するミキサ制御卓と、ミキサに結合するものであって、内部Ｎ音声信号経路に割当てられた入力音声チャンネルへの内部回路の制御処理のための制御信号をミキサ制御卓に供給する編集装置と、ミキサ制御卓に含まれるものであって、それぞれが複数の音声入力装置のうちの１つから１又は複数の入力音声チャンネルを受信し、その上に構成選択部が合体された表示部をそれぞれ有し、構成選択部は結合が一致する音声入力装置の項目を表示する構成信号を生成するために操作可能であるＭ入力モジュールとを具え、それぞれの入力モジュールからの上記構成信号は編集装置に供給されるものであって、それによって編集装置が内部Ｎ音声信号経路に割当てられた入力音声チャンネルの処理を可能とするものである。
【００１１】
本発明の１つの具体構成では、上記構成選択手段は、デュアル（２つの）７セグメント（分割）ＬＥＤ表示器（ディスプレイ）を含む、ミキサ入力モジュールに結合された上記割当てられたマルチチャンネル装置を可視表示する構成表示手段を含んでいる。
【００１２】
本発明の他の具体構成では、上記チャンネル選択手段は、各々が４つの選択可能な音声チャンネルの１つに対応する４つのＬＥＤを有する、選択された音声チャンネルを可視表示するチャンネル表示手段を含んでいる。
【００１３】
本発明の更に他の具体構成では、上記ミキサ入力モジュールはまた、上記選択された音声チャンネルが割当てられたオーディオフォローミキサに含まれるプレビュー・バスを選択するプレビュー・バス選択手段を含み、該選択手段は、各々が該ミキサのプレビュー・バスに対応し、選択された音声チャンネルが割当てられたプレビュー・バスを可視表示する４つのＬＥＤ指示器を有する。
【００１４】
【実施例】
以下、図面により本発明を具体的に説明する。
図１は、本発明を用いうるミキサ装置を示すブロック図である。図１の装置は、直列編集器インタフェース２０を介してオーディオフォロービデオミキサ７０に接続されたビデオ編集器１０を含む。複数のマルチチャンネル装置８０が、数個のライン入力ポートを介してミキサ７０に接続される。都合上、以下の説明をＶＴＲについて行うが、本発明がこれに限定されるものではないことを理解されたい。他のマルチチャンネル装置を含む他の装置を本発明に使用してもよい。
【００１５】
図１に示すように、ビデオ編集器１０は、これから直列インタフェース２０に供給される信号によってオーディオフォロービデオミキサ７０の動作を制御する。ビデオ編集器１０はまた、ＶＴＲ８０にあるＶＴＲ制御ポートを介してＶＴＲ８０を制御する。モニタ装置３０、マイクロホン（入力）４０及び効果装置（５０）のような他の周辺装置は、混合を補助するために設けられる。このような装置で、ビデオ編集器１０のオペレータ（操作者）は、種々異なるＶＴＲ８０の組合せからミキサに供給される数チャンネルの入力を処理できる。
【００１６】
図２は、本発明によるミキサ操作卓１００の例を示す正面図である。図示の操作卓１００には１６個の入力モジュール１１０Ａ，１１０Ｂ，１１０Ｃ，１１０Ｄ，１１０Ｅ，１１０Ｆ，１１０Ｇ，１１０Ｈ，１１０Ｉ，１１０Ｊ，１１０Ｋ，１００Ｌ，１１０Ｍ，１１０Ｎ，１１０Ｏ及び１１０Ｐがある。図示のように、これらの（ミキサ）入力モジュールは、例えばデュアル、ステレオ又はモノラルのような数種の異なるタイプのものでもよい。使用するモジュールのタイプに関係なく、本発明では後述のように、ＶＴＲの選択を同じように行うことができる。
【００１７】
ミキサ操作卓１００を用いて数個のＶＴＲからの種々の入力チャンネルを処理するためには、各入力モジュールを個々のＶＴＲに対応するように構成する必要がある。例えば、図１のＶＴＲ１のような第１のＶＴＲは４つのチャンネル入力を供給し、該入力は、オーディオフォロービデオミキサにおけるモノラル、ステレオ又はデュアル・タイプのモジュールのどんな組合せにも供給される。一旦特定の入力構成を選択すると、入力チャンネルを供給するＶＴＲに従って入力チャンネルを受入れる入力モジュールを構成する必要がある。
【００１８】
図３及び４は、図２のミキサ入力モジュールの１つ１１０の上半部及び下半部を夫々示す正面図である。図示のモジュールは、モノラル・タイプのものである。該モジュールの操作卓（コンソール）には、デュアル７セグメントＬＥＤ表示器であるＶＴＲ構成表示器１２０があり、該表示器は、選択されたＶＴＲの番号を表示する。ＶＴＲの番号は、４つのバーＬＥＤより成る選択チャンネル表示器１３０の下にあるＶＴＲ選択ボタン１２２を押して選択する。最初の電源投入時には、ＶＴＲ構成表示器１２０は、その前に割当てられたＶＴＲ番号を示す。ＶＴＲ選択ボタン１２２を押すと、表示は次の番号にインクリメントする（１つ進む）。例えば、モジュール１１０を、該番号が「ＲＣ」（レコード・マシン）からスタートし次いで番号０から１６までインクリメントするように構成してもよい。ただし、ミキサ入力モジュールは、任意の数のＶＴＲを利用するように設計できる。例えば、１６のＶＴＲ構成番号を用いる代わりに、３２を選んでもよい。
【００１９】
図３に示す選択チャンネル表示器（バー表示器）１３０は、ミキサ入力モジュール１１０に対するＶＴＲ音声割当て表示器として働く。この表示器は、割当てられたＶＴＲの１から４までのどの音声チャンネルが該モジュールに割当てられているかを示す。ＶＴＲの音声チャンネルは、バー表示器１３０の下にあるチャンネル選択ボタン１３２を押すことにより、ミキサ入力モジュール１１０に割当てられる。最初の電源投入時、上記表示器１３０は、前に割当てられたチャンネルを表示する。チャンネル選択ボタン１３２を押すと、選択チャンネル表示器１３０は次のバーＬＥＤにインクリメントする。該表示器１３０は、１から４までの音声チャンネルに対応する各バーＬＥＤの間を循環する。
【００２０】
こうしてＶＴＲの音声トラックを入力モジュールに割当てると、選択されたチャンネルは、自動的にミキサのプレビュー・バスに割当てられる。例えば、チャンネル１が選択されると、その入力モジュールの音声は第１のプレビュー・バスに割当てられる。チャンネル２が選択されると、音声チャンネル２が第２プレビュー・バスに割当てられる。チャンネル３や４についても、同じような路線決めが行われる。選択された音声チャンネルが割当てられたプレビュー・バスは、プレビュー・バス指示器１４０（図４）によって表示される。本例では、該表示器１４０は、４つの別個のＬＥＤ１４０Ａ，１４０Ｂ，１４０Ｃ及び１４０Ｄを含み、これらは、選択された音声チャンネルがどのプレビュー・バスに割当てられたかを表示する。４つの各ＬＥＤ指示素子１４０Ａ〜１４０Ｄは、個々のプレビュー・バスに対応している。
【００２１】
選択された音声チャンネルが割当てられるプレビュー・バスは、プレビュー・バス選択ボタン１４２を押すことにより、変えることができる。プレビュー・バス選択ボタン１４２を操作しても、ミキサ入力モジュール１１０への音声チャンネルの割当ては行われない。ただ、選択された音声チャンネルが割当てられるプレビュー・バスが変わるだけである。プレビュー・バスの割当てに変更があれば、プレビュー・バス指示器１４０によって表示される。
【００２２】
図５は、上述の動作を実現する回路を含む本発明入力モジュールの具体構成を示すブロック図である。図３に、ミキサ入力モジュールに割当てられるＶＴＲを選択するのに用いるＶＴＲ選択ボタンを参照番号１２２で示した。このＶＴＲ選択ボタン１２２を押すと、表示復号及び論理（ロジック）回路１２４がこの操作を検出し、デュアル７セグメントＬＥＤ表示器１２０に制御信号を送り、該表示器は上述のように選択されたＶＴＲの番号を表示する。制御信号はまた、該回路１２４から数種の制御回路１５０（即ち、回路１５２，１５４，１５６及び１５８）を介してオーディオフォロービデオミキサの主ボードにあるバスに送られる。こうすると、入力モジュールのライン入力に接続されたＶＴＲにより供給される信号を、オーディオフォロービデオミキサによって処理するために使用することができる。ＶＴＲ構成表示器１２０は、正しいＶＴＲが選択されたことの確認的可視表示をオペレータに与える。
【００２３】
同様に、オペレータは、チャンネル選択ボタン１３２を押すことにより、入力モジュールに対する音声チャンネルを選択することができる。この操作により、表示復号及び論理回路１２４は、選択チャンネル表示器１３０の適正なバーＬＥＤを明るくする信号を送る。ＶＴＲ構成選択により、選択された音声チャンネルを示す信号が、制御回路１５０を介してミキサ主ボードのバスに供給される。
【００２４】
表示復号及び論理回路１２４はまた、プレビュー・バス選択論理及び表示駆動回路１４４と結合されている。この回路は、適正なＬＥＤ指示素子１４０Ａ，１４０Ｂ，１４０Ｃ又は１４０Ｄを駆動し、選択された音声チャンネルにどのプレビュー・バスが使用可能であるかについての可視表示を与える。プレビュー・バスの割当ては、プレビュー・バス選択スイッチ１４２（図４参照）を押すことによって変更できる。この操作は、プレビュー・バスＬＥＤ指示素子１４０Ａ〜１４０Ｄを動かし、プレビュー・バス選択論理及び表示駆動回路１４４を介して制御信号を発送させ、所望のプレビュー・バスを使用可能とする。これらの制御信号は、プレビュー切替え回路１４６に入力され、該回路は、それに従って入力ＶＴＲから音声チャンネル信号を送る。
【００２５】
ミキサ入力モジュールにある制御回路１５０は、表示復号及び論理回路１２４とプレビュー・バス選択論理及び表示駆動回路１４４とを、該ミキサの主ボードにある種々のバスと結合する。図示のように、これらの制御回路は、アドレスデータ及び音声チャンネル復号回路１５２、ＶＣＡ選択論理回路１５４、Ａ／Ｂクロスフェード呼出し表示器選択論理回路１５６、プレビュー命令復号回路１５８を含む。これらの回路１５０は、入力モジュールと結合されたＶＴＲに付属する選択された音声チャンネルの処理を制御する。
【００２６】
以上、本発明の好適な実施例を詳細に説明したが、本発明は、これらに限定されるものではなく、特許請求の範囲内において種々の変形、変更をすることができる。
【００２７】
【発明の効果】
上述の実施例から明らかなように、ミキサ入力モジュールの幾つかを使用することにより、ミキサ装置を種々の異なる方法で構成することが可能となる。本発明によれば、オーディオフォローミキサを、単数又は複数のチャンネル入力を有する数個の装置を種々組合せたものと結合することができる。また、結合されたマルチチャンネル入力装置の種々異なるチャンネルを、不連続のライン入力ポートを介してミキサに都合よく結合できるので、一層大きな多用性が達せられる。即ち、各入力モジュールを或る数の異なるＶＴＲ又は他の装置のどれにも割当てうるので、入力装置の各チャンネルをミキサの入力のどれかに結合するために、ジャンパー電線のような固定構成を用いる必要がなくなる。
【図面の簡単な説明】
【図１】本発明を用いうるミキサ装置を示すブロック図である。
【図２】本発明によるミキサ操作卓の例を示す正面図である。
【図３】図２のミキサ入力モジュールの１つの上半部を示す拡大正面図である。
【図４】図３のミキサ入力モジュールの下半部を示す拡大正面図である。
【図５】本発明ミキサ入力モジュールの具体構成を示すブロック図である。
【符号の説明】
１１０（１１０Ａ〜１１０Ｐ）  ミキサ入力モジュール
８０  ＶＴＲ（マルチチャンネル入力装置）
１２０  ＶＴＲ構成表示器（構成表示手段）
１２２，１２４  ＶＴＲ選択ボタン、表示復号及び論理回路（構成選択手段）
１３０  選択チャンネル表示器（チャンネル表示手段）
１３２  チャンネル選択ボタン（チャンネル選択手段）
１４０  プレビュー・バス指示器（プレビュー・バス指示手段）
１４２  プレビュー・バス選択ボタン（プレビュー・バス選択手段）
【図１】
0003692156.tif 000002
【図２】
0003692156.tif 000003
【図３】
0003692156.tif 000004
【図４】
0003692156.tif 000005
【図５】
0003692156.tif 000006